(57)【要約】【課題】キャリーバック同士を上下に載置して運搬する際に、下側のキャリーバックと上側のキャリーバックとで横ズレを起こさずに安定し、横ズレを気にすることなく運搬操作が容易となるキャリーバック及びそのための挿通袋を提供する。【解決手段】他のキャリーバック１’の上にキャリーバック１を載置する際に、他のキャリーバック１’のキャリーハンドル１０’を挿通袋５０の挿通部に挿通する。挿通袋５０は、キャリーバック１のバック本体の背面に設けられ、キャリーハンドル１０の両脚方向に略直交する向きに開口している。切欠き部５６，５７の位置方向を幅狭の切欠き部５７を下、幅広の切欠き部５６を上にして載置することで、運搬する際のブレが幅狭によることで抑えることができ、安定した運搬が可能となる。また、左右方向へのブレが幅広によることで大きく保つことができ、左右方向への操作性が良い運搬が可能となる。【選択図】図４
0003222389.tif 000002
【実用新案登録請求の範囲】
【請求項１】
キャリーハンドル及びキャスターがバック本体に取り付けられて運搬可能なキャリーバックであって、
前記バック本体の背面は、前記キャリーハンドルの両脚方向に略直交する向きに開口している挿通袋が設けられていることを特徴とするキャリーバック。
【請求項２】
前記キャリーバックを他のキャリーバック上に載置して運搬する際に、前記挿通袋に前記他のキャリーバックのキャリーハンドルを挿通して、前記キャリーバックと前記他のキャリーバックとを固定することを特徴とする請求項１記載のキャリーバック。
【請求項３】
前記挿通袋は、前記開口にかけてコの字状又は逆コの字状の切欠き部を有することを特徴とする請求項１又は２記載のキャリーバック。
【請求項４】
前記コの字状と前記逆コの字状との切欠き部の範囲が異なることを特徴とする請求項１から３のいずれか記載のキャリーバック。
【請求項５】
キャリーバックのバック本体に装着可能な帯部と、
キャリーバックのキャリーハンドルを挿通可能に開口された挿通部と、を有する挿通袋。
【請求項６】
前記開口にかけてコの字状又は逆コの字状の切欠き部を有することを特徴とする請求項５記載の挿通袋。
【請求項７】
前記コの字状と前記逆コの字状との切欠き部の範囲が異なることを特徴とする請求項６記載の挿通袋。
【考案の詳細な説明】
【技術分野】
【０００１】
本考案は、キャリーバック同士を積載して運搬可能にするキャリーバック及びキャリーハンドル挿通袋に関する。
【背景技術】
【０００２】
旅行やビジネス出張などでキャリーバックを利用して、１人で２台以上のキャリーバックを持ち歩くことも多い。例えば２台のキャリーバックを持ち歩く場合、２台を引きずって持ち歩くことも可能ではあるが、大抵は１台のキャリーバックをもう１台のキャリーバック上に載置して持ち歩くことで、２台をまとめて運搬している。
【０００３】
キャリーバックに限らず、キャリーケースとバッグとを一体として移動することを可能にしたキャリーオンバックも従来例として存在している（特開２０１７−７９９７５号公報の［図４］等）。すなわち、このキャリーオンバックは、キャリーケースのキャリーハンドルにキャリーオンバックに形成された通し部を挿入するものであり、キャリーオンバックには筒状の空洞である通し部が形成されている（同公報の段落［００１９］［００２１］等）。
【考案の概要】
【考案が解決しようとする課題】
【０００４】
しかしながら、従来例のように大型（大重量）のキャリーケースの上に小型（小重量）のキャリーオンバックを載置する場合には、大型のキャリーケースを運搬操作する際に小型のキャリーオンバックが操作の障壁となることは少ない。キャリーオンバック自体も軽量化が図られている。
【０００５】
一方で、キャリーハンドル及びキャスターがバック本体に取り付けられているキャリーバック同士を上下に載置する場合には、従来例のキャリーオンバックよりも大型かつ大重量であることから、下側のキャリーバックを運搬操作する際に上側のキャリーバックが左右方向の横ズレを起こすことで運搬操作の障壁となることがあり、使用者は上側のキャリーバックが動かないように下側のキャリーバックを運搬操作する必要があるという細かい神経を使っている。
【０００６】
そこで、本考案は、キャリーバック同士を上下に載置して運搬する際に、下側のキャリーバックと上側のキャリーバックとで横ズレを起こさずに安定し、横ズレを気にすることなく運搬操作が容易となるキャリーバック及びそのための挿通袋を提供する。
【課題を解決するための手段】
【０００７】
本考案は、上記課題を解決するために、以下のものを提供する。
【０００８】
（１）  キャリーハンドル及びキャスターがバック本体に取り付けられて運搬可能なキャリーバックであって、前バック本体の背面は、前記キャリーハンドルの両脚方向に略直交する向きに開口している挿通袋が設けられていることを特徴とするキャリーバック。
【０００９】
本考案によれば、キャリーバックのバック本体の背面（キャリーハンドルが取り付けられている面）に挿通袋が設けられていることから、この挿通袋に他のキャリーバックのキャリーハンドルを挿通することで、キャリーバック同士を載置して運搬することに資する。挿通袋の開口端は、キャリーハンドルの両脚方向に略垂直であることから、キャリーハンドルの両脚方向に平行としてキャリーハンドル同士が干渉してキャリーバック同士を載置する際の障害とならないようにすることができ、ひいては載置して運搬する際の運搬操作を容易にしている。一般にキャリーハンドルの両脚の幅は統一されていることから、キャリーハンドル同士によって載置の障害とならないような構成となっている。
【００１０】
（２）  前記キャリーバックを他のキャリーバック上に載置して運搬する際に、前記挿通袋に前記他のキャリーバックのキャリーハンドルを挿通して、前記キャリーバックと前記他のキャリーバックとを固定することを特徴とするキャリーバック。
【００１１】
本考案によれば、挿通袋付きのキャリーバックを他のキャリーバック上に載置して運搬する際に、挿通袋に他のキャリーバックのキャリーハンドルを挿通することにより、両キャリーバックを固定して安定性を高め、両キャリーバックの運搬操作を容易にすることができる。
【００１２】
従来例（特開２０１７−７９９７５号公報）や特開２０１５−１５０２９２号公報、実用新案登録第３２１７８９４号公報に開示されているように、キャリーハンドルを挿通して同時運搬を可能にしたものは多々見られるが、いずれもキャリーバック同士を載置したものではなく、キャリーバック同士を載置する際の障害等には何ら示唆がない。本考案は、既述した障害を解決している。
【００１３】
（３）  前記挿通袋は、前記開口にかけてコの字状又は逆コの字状の切欠き部を有することを特徴とするキャリーバック。
【００１４】
本考案によれば、挿通袋は、開口にかけてコの字状又は逆コの字状の切欠き部を有し、一方がコの字、他方が逆コの字で形成された、全体が卍形状を呈している。バック本体の背面の幅全体でキャリーハンドルを挿通する場合、キャリーハンドルの固定は強固となる一方、左右方向への運搬操作性が悪くなることから、切欠き部を有することで運搬操作性を担保している。また、左右方向への運搬操作によって挿通袋の左右方向への力が加わることによる挿通袋の破損や縫着の裂け等のダメージを軽減するために、一部のみを挿通する切欠き部は機能しており、挿通袋の耐久性を向上している。
【００１５】
（４）  前記コの字状と前記逆コの字状との切欠き部の範囲が異なることを特徴とするキャリーバック。
【００１６】
本考案によれば、一方がコの字、他方が逆コの字で形成された切欠き部の範囲が異なり、一方を幅広、他方を幅狭とすることにより、キャリーハンドルの挿通方向を使用者に可視化して示唆することができる。幅広と幅狭とで上下方向を使い分けることにより、載置した際の安定性や運搬操作の容易性を確保することができる。
【００１７】
（５）  キャリーバックのバック本体に装着可能な帯部と、キャリーバックのキャリーハンドルを挿通可能に開口された挿通部と、を有する挿通袋。
（６）  前記開口にかけてコの字状又は逆コの字状の切欠き部を有することを特徴とする挿通袋。
（７）  前記コの字状と前記逆コの字状との切欠き部の範囲が異なることを特徴とする挿通袋。
【００１８】
本考案によれば、キャリーバックのバック本体に後付けして装着可能な挿通袋により、安定性や運搬操作の容易性を確保し、耐久性に優れたものを提供することができる。
【考案の効果】
【００１９】
本考案の積載運搬可能なキャリーバックは、挿通袋を装着することにより、運搬する際の左右方向の横ズレを防いで安定性を確保し、安定した運搬による運搬操作の容易性を確保し、左右方向への運搬操作に対して耐久性に優れているという効果がある。
【図面の簡単な説明】
【００２０】
【図１】本考案の実施形態に係るキャリーバックの外観斜視図。
【図２】本考案の実施形態に係る挿通袋の例を示す図。
【図３】本考案の実施形態に係る挿通袋の例を示す図。
【図４】本考案の実施形態に係るキャリーバックの使用例を示す図。
【考案を実施するための形態】
【００２１】
以下、本考案の実施形態について図面に基づいて説明する。
【００２２】
図１は、本考案の実施形態に係るキャリーバック１の外観斜視図であり、伸縮自在なキャリーハンドル１０と回転自在なキャスター２０とがバック本体３０に取り付けられ、バック本体３０は区画ファスナー４０によって開閉自在に区画されている。なお、図１では区画ファスナー４０はバック本体３０の周縁略中央に配設されているが、正面寄り（図１の紙面左奥行方向）の周縁に配設されていてもよい。
【００２３】
キャリーハンドル１０は、下段に位置する一対の筒状のロッド１０ａ，１０ｂと、ロッド１０ａ，１０ｂ内にスライド自在に挿通される中段に位置する軸部１０ｃ，１０ｄと、一対の軸部１０ｃ，１０ｄの両上端を結ぶように設けられた上段に位置する把持部１０ｅと、から構成されている。キャリーハンドル１０を使用する場合、使用者は把持部１０ｅを手で持ち、キャリーバック１の上方向に引き上げ、ロッド１０ａ，１０ｂから軸部１０ｃ，１０ｄを引き上げる。これにより、持ち手の部分が長くなり、使用者はキャリーハンドル１０を持ち、キャスター２０の回転によってキャリーバック１を押したり引いたりしながら持ち歩くことができる。
【００２４】
バック本体３０の背面は、挿通袋５０が縫着，固着，圧着等により設けられている。挿通袋５０は、開口端５１，５２により開口した挿通部５５を有し、挿通部５５が形成される方向は、キャリーハンドル１０の両脚（ロッド１０ａと軸部１０ｃ，ロッド１０ｂと軸部１０ｄ）に略直交している。
【００２５】
挿通袋５０の具体的構成を図２及び図３に示す。図２の挿通袋５０は図１と同様である。
【００２６】
図２において、挿通袋５０は、キャリーハンドルを挿通可能に開口端５１，５２が形成されて開口された挿通部５５と、バック本体３０に装着可能な上帯部５３と下帯部５４と、を有する。上帯部５３と下帯部５４とは、開口端５１，５２にかけて形成されたコの字状の切欠き部５６，逆コの字状の切欠き部５７によって区画されている。コの字状の切欠き部５６は幅ＷＬの幅広、逆コの字状の切欠き部５７は幅ＷＳの幅狭で形成されている。
図２の挿通袋５０を図１のキャリーバック１に装着する場合、バック本体３０の背面に挿通袋５０をあてがい、上帯部５３の上端と下帯部５４の下端とを背面に縫着する（図示点線）。
【００２７】
図３の挿通袋６０は、キャリーバックに後付けして使用するタイプの例である。挿通袋６０は、キャリーハンドルを挿通可能に開口端６１，６２が形成されて開口された挿通部６５と、バック本体３０の周縁に装着可能な上帯部６３と下帯部６４と、を有する。上帯部６３の両端には裏表対向して雄接着部６３ａ，雌接着部６３ｂが固設されており、下帯部６４の両端にも裏表対向して雄接着部６４ａ，雌接着部６４ｂが固設されており、雄接着部と雌接着部とが着脱可能に固着されることにより挿通袋６０をバック本体３０に周回して後付け固定することができる。なお、上帯部６３と下帯部６４とを一体として形成した１つの帯部とし、この帯部の左右両端に裏表対向して雄接着部６３ａ，雌接着部６３ｂを固設してもよい。また、雄接着部や雌接着部に代えて、帯部のベルトと一端に取り付けられたバックルとを操作することで挿通袋６０をバック本体３０に周回して後付け固定することとしてもよい。
【００２８】
挿通袋６０の少なくとも挿通部６５の位置には、キャリーハンドルを挿通して使用する際にキャリーハンドルによってキャリーバックに傷が付くことを防止する下材６８が設けられてもよい。下材６８を挿通部６５の左右両端から延伸して、コの字状の切欠き部６６，逆コの字状の切欠き部６７を構成してもよい。
【００２９】
図４は、本考案の実施形態に係るキャリーバック１の使用例を示す図であり、キャリーバック１と他のキャリーバック１’とを積載することにより、運搬を楽にしている。キャリーバック１には挿通袋５０が装着されており、他のキャリーバック１’には装着されていないが、他のキャリーバック１’にも挿通袋５０が装着されていてもよい。
【００３０】
他のキャリーバック１’の上に挿通袋５０が装着されたキャリーバック１を載置する際に、他のキャリーバック１’にキャリーバック１を積載し、他のキャリーバック１’のキャリーハンドル１０’を挿通袋５０の挿通部に挿通する。または、他のキャリーバック１’の上に挿通袋５０が装着されたキャリーバック１を載置する際に、他のキャリーバック１’のキャリーハンドル１０’を十分に引き上げておき、他のキャリーバック１’にキャリーバック１を積載するときに、キャリーハンドル１０’を挿通袋５０の挿通部に挿通する。この際、切欠き部５６，５７の位置方向を幅狭の切欠き部５７を下、幅広の切欠き部５６を上にして載置することで、他のキャリーバック１’を運搬する際のキャリーバック１のブレが幅狭によることで抑えることができ、安定した運搬が可能となる。また、他のキャリーバック１を運搬する際のキャリーハンドル１０’の左右方向へのブレが幅広によることで大きく保つことができ、左右方向への操作性が良い運搬が可能となる。
【００３１】
なお、図４ではキャスター２０を取り付けた状態を示しているが、着脱可能なキャスター２０であれば、キャスター２０を取り外して運搬することで、積載運搬する際のコンパクト化や安定性を保つことができる。
【産業上の利用可能性】
【００３２】
本考案は、キャリーバックの積載運搬を容易にし、安定性及び操作性の良い積載運搬を実現するものとして産業上有用である。
【符号の説明】
【００３３】
１，１’  キャリーバック
１０，１０’  キャリーハンドル
２０，２０’  キャスター
３０  バック本体
４０  区画ファスナー
５０，６０  挿通袋
５１，５２，６１，６２  開口端
５５，６５挿通部
５３，５４，６３，６４  帯部（５３，６３：上帯部、５４，６４：下帯部）
５６，５７，６６，６７  切欠き部
６３ａ，６４ａ  雄接着部
６３ｂ，６４ｂ  雌接着部
【図１】
0003222389.tif 000003
【図２】
0003222389.tif 000004
【図３】
0003222389.tif 000005
【図４】
0003222389.tif 000006